(57)【要約】【課題】繰り返して使用することができ、しかも穴の複数のサイズに対応することができて、更に穴に対し簡単な作業で着脱することが可能なコンクリートブロックの穴閉鎖用具を提供する。【解決手段】コンクリートブロックＢａの穴Ｈａにコンクリートブロックの穴閉鎖用具１の挿入部５を挿入し、蓋部３によって穴Ｈａを閉鎖する。一対の圧接部９の外側の頂部間の寸法は６ｃｍであり、穴Ｈａの幅寸法Ｎａが５．２ｃｍであって、しかも一対の挿入部５は互いに近接離間する方向へ弾性変形可能であるので、一対の圧接部９は穴Ｈａの内周面に圧接する。これにより、コンクリートブロックの穴閉鎖用具１が穴Ｈａから脱落するのを防止することができる。コンクリートブロックの穴閉鎖用具１を穴Ｈａから外す場合には、蓋部３を掴んで上方へ引き上げる。【選択図】        図４
0003191191.tif 000002
【実用新案登録請求の範囲】
【請求項１】
平板状の蓋部と、前記蓋部の下面に設けられ下方へ延びる一対の挿入部とを有し、前記一対の挿入部は互いに近接離間する方向へ弾性変形可能で、且つ離間方向へ突出する圧接部が形成されていることを特徴とするコンクリートブロックの穴閉鎖用具。
【請求項２】
請求項１に記載したコンクリートブロックの穴閉鎖用具において、挿入部は互いに間隔をあけて対向する一対の平板によって構成され、前記挿入部の下端部がくの字状に曲げられて圧接部が形成されていることを特徴とするコンクリートブロックの穴閉鎖用具。
【請求項３】
請求項１または２に記載したコンクリートブロックの穴閉鎖用具において、一対の挿入部は基端を支点として互いに近接離間する方向へ変形させて、一対の圧接部間の距離を調節できることを特徴とするコンクリートブロックの穴閉鎖用具。
【請求項４】
請求項１から３のいずれかに記載したコンクリートブロックにおいて、金属製であることを特徴とするコンクリートブロックの穴閉鎖用具。
【考案の詳細な説明】
【技術分野】
【０００１】
本考案はコンクリートブロックの穴閉鎖用具に係り、特に屋外に施工後のコンクリートブロックの穴に雨水等が入るのを防止するためのコンクリートブロックの穴閉鎖用具に関するものである。
【背景技術】
【０００２】
例えば、分譲地における各区画はフェンスベースによって区分けされている。このフェンスベースはコンクリートブロックによって構成され、分譲地が売れるとコンクリートブロックの穴に支柱を立て、フェンスを構築する。ところが、コンクリートブロックの穴はフェンスを構築するまで開放されたままになっているので雨水が溜まり、鉄筋が腐食してしまうおそれがある。このため、発泡スチロールのブロックを押し込んで穴を塞いだり、特許文献１に記載された孔塞ぎ栓などが用いられたりしている。
【先行技術文献】
【特許文献】
【０００３】
【特許文献１】特開２００６−２５４８号公報
【考案の概要】
【考案が解決しようとする課題】
【０００４】
しかしながら、発泡スチロール等のブロックは繰り返して使用することはできず結局ゴミとして処分することになってしまうという問題がある。また、コンクリートブロックのサイズによって穴の大きさが異なるため、発泡スチロール等のブロックは穴のサイズに対応して準備する必要がある。更に、発泡スチロール等のブロックを穴に押し込むため、穴の奥に入り込んでしまい、容易に取り出すことができなくなってしまうおそれもある。
本考案は上記従来の問題点に着目して為されたものであり、繰り返して使用することができ、しかも穴の複数のサイズに対応することができて、更に穴に対し簡単な作業で着脱することが可能なコンクリートブロックの穴閉鎖用具の提供を、その目的とする。
【課題を解決するための手段】
【０００５】
本考案は上記課題を解決するためになされたものであり、請求項１の考案は、平板状の蓋部と、前記蓋部の下面に設けられ下方へ延びる一対の挿入部とを有し、前記一対の挿入部は互いに近接離間する方向へ弾性変形可能で、且つ離間方向へ突出する圧接部が形成されていることを特徴とするコンクリートブロックの穴閉鎖用具である。
【０００６】
請求項２の考案は、請求項１に記載したコンクリートブロックの穴閉鎖用具において、挿入部は互いに間隔をあけて対向する一対の平板によって構成され、前記挿入部の下端部がくの字状に曲げられて圧接部が形成されていることを特徴とするコンクリートブロックの穴閉鎖用具である。
【０００７】
請求項３の考案は、請求項１または２に記載したコンクリートブロックの穴閉鎖用具において、一対の挿入部は基端を支点として互いに近接離間する方向へ変形させて、一対の圧接部間の距離を調節できることを特徴とするコンクリートブロックの穴閉鎖用具である。
【０００８】
請求項４の考案は、請求項１から３のいずれかに記載したコンクリートブロックにおいて、金属製であることを特徴とするコンクリートブロックの穴閉鎖用具である。
【考案の効果】
【０００９】
本考案のコンクリートブロックの穴閉鎖用具は、繰り返して使用することができる。更に穴に対し簡単な作業で着脱することが可能である。また、コンクリートブロックの穴の複数のサイズに対応することができる。
【図面の簡単な説明】
【００１０】
【図１】本考案の実施の形態に係るコンクリートブロックの穴閉鎖用具の蓋部を上側にした状態の斜視図である。
【図２】図１のコンクリートブロックの穴閉鎖用具の挿入部を上側にした状態の斜視図である。
【図３】図１のコンクリートブロックの穴閉鎖用具によってフェンスベースを構成するコンクリートブロックの穴を閉鎖する作業を説明する斜視図である。
【図４】図１のコンクリートブロック穴閉鎖用具の挿入部を穴へ挿入した状態を示す断面図である。
【図５】図１のコンクリートブロック穴閉鎖用具の挿入部を大きい幅寸法の穴へ挿入した状態を示す断面図である。
【考案を実施するための形態】
【００１１】
本考案の実施の形態に係るコンクリートブロックの穴閉鎖用具１を図面にしたがって説明する。
コンクリートブロックの穴閉鎖用具１は鉄製であり、防錆塗装が施されている。
符号３は蓋部を示し、この蓋部３は長方形の平板状に形成されており、その幅寸法が８ｃｍ、長さ寸法が１５ｃｍとなっている。
【００１２】
符号５は一対の挿入部を示し、一対の挿入部５は平板状の連結部７を介して連結されている。そして、連結部７が蓋部３の下面に溶接等によって固定されることで、一対の挿入部５が蓋部３の下面に取り付けられている。
一対の挿入部５は下方へ向かって延び、互いに間隔をあけて対向する一対の平板によって構成されている。一対の挿入部５は互いに近接離間する方向へ弾性変形可能である。
【００１３】
また、一対の挿入部５には、その離間方向へ突出する圧接部９が形成されている。圧接部９は挿入部５の下端部を外側へ「く」の字状に曲げて形成されている。一対の圧接部９の外側の頂部間の寸法Ｓａは６ｃｍである。
また、一対の挿入部５は基端を支点として互いに近接離間する方向へ塑性変形させて、一対の圧接部９間の距離を調節できるようになっている。
【００１４】
次に、このコンクリートブロックの穴閉鎖用具１の使用方法を図面にしたがって説明する。
コンクリートブロックＢａは分譲地における各区画を囲むように設置している。
このコンクリートブロックＢａは比較的多く使用されているサイズのもので、厚さ寸法が１０ｃｍ、穴Ｈａの幅寸法Ｎａが５．２ｃｍ、長さ寸法が８．２ｃｍのものである。
コンクリートブロックＢａは、フェンス構築用の支柱を立てるための穴Ｈａを残しセメントによって閉鎖されている。
【００１５】
図４に示すように、コンクリートブロックＢａの穴Ｈａにコンクリートブロックの穴閉鎖用具１の挿入部５を挿入し、蓋部３によって穴Ｈａを閉鎖する。前述のように一対の圧接部９の外側の頂部間の寸法は６ｃｍであり、穴Ｈａの幅寸法Ｎａが５．２ｃｍであって、しかも一対の挿入部５は互いに近接離間する方向へ弾性変形可能であるので、一対の圧接部９は穴Ｈａの内周面に圧接する。これにより、コンクリートブロックの穴閉鎖用具１が穴Ｈａから脱落するのを防止することができる。
なお、圧接部９は挿入部５の下端部を外側へ「く」の字状に曲げて形成されているので、挿入部５の下端間の寸法は穴Ｈａの幅寸法Ｎａより僅かに小さく、挿入部５を穴Ｈａへスムーズに挿入することは可能である。
【００１６】
コンクリートブロックの穴閉鎖用具１を穴Ｈａから外す場合には、蓋部３を掴んで上方へ引き上げれば、圧接部９が穴Ｈａの内周面に摺接しながら上方へ移動し、挿入部５を穴Ｈａから引き抜く。
このように、コンクリートブロックの穴閉鎖用具１は穴Ｈａに対し、簡単な作業で着脱することが可能であり、また、繰り返して使用することができる。
【００１７】
次に、コンクリートブロックＢａより一回り大きいサイズのコンクリートブロックＢｂにコンクリートブロックの穴閉鎖用具１を装着する作業について説明する。
コンクリートブロックＢｂの厚さ寸法は１２ｃｍ、穴Ｈｂの幅寸法Ｎｂが６．８ｃｍ、長さ寸法が７．９ｃｍのものである。
【００１８】
コンクリートブロックの穴閉鎖用具１の一対の挿入部５の基端を支点として互いに離間する方向へ変形させて、一対の圧接部９間の距離を広げる。そして、一対の挿入部５をコンクリートブロックＢｂの穴Ｈｂへ挿入する。一対の圧接部９間の距離を広げることで穴Ｈｂの幅寸法Ｎｂに対応し、一対の圧接部９は穴Ｈｂの内周面に圧接する。これにより、コンクリートブロックの穴閉鎖用具１が穴Ｈｂから脱落するのを防止することができる。
【００１９】
なお、コンクリートブロックの穴閉鎖用具１の一対の挿入部５の基端を支点として互いに近接する方向へ変形させて、一対の圧接部９間の距離を狭めれば、幅寸法の小さい穴のコンクリートブロックにも対応することができる。
このように、コンクリートブロックの穴閉鎖用具１はコンクリートブロックの穴の複数のサイズに対応することが可能である。
更に、発泡スチロール等のブロックを穴に押し込んだ場合と異なり、見た目のきれいな印象となる。
【００２０】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態ではコンクリートブロックの穴閉鎖用具１を鉄製としたが、本考案はこれに限定されず、ステンレススチール、アルミニウム合金などによって構成してもよい。
【産業上の利用可能性】
【００２１】
本考案はコンクリートブロックの穴閉鎖用具製造、販売業、外構工事業等において利用可能性を有する。
【符号の説明】
【００２２】
１…コンクリートブロックの穴閉鎖用具      ３…蓋部
５…挿入部      ７…連結部      ９…圧接部
Ｓａ…一対の圧接部の外側の頂部間の寸法
Ｂａ…コンクリートブロック
Ｈａ…コンクリートブロックＢａの穴
Ｎａ…穴Ｈａの幅寸法
Ｂｂ…コンクリートブロック
Ｈｂ…コンクリートブロックＢｂの穴
Ｎｂ…穴Ｈｂの幅寸法
【図１】
0003191191.tif 000003
【図２】
0003191191.tif 000004
【図３】
0003191191.tif 000005
【図４】
0003191191.tif 000006
【図５】
0003191191.tif 000007